(57)【特許請求の範囲】
【請求項１】
巻芯部と、前記巻芯部の両端側に配設された一対の鍔部とを備えたコアと、前記一対の鍔部に配設された端子電極と、前記巻芯部にワイヤを巻回することにより形成され、始端および終端が前記端子電極に接続されたコイルとを備えた巻線型コイル素子と、前記コイルを被覆するように配設された被覆樹脂とを有する巻線型コイルの製造方法であって、
（ａ）内周面が弾性材料からなる保持孔を備えた保持治具の前記保持孔に、前記一対の鍔部が水平方向に対向するように前記巻線型コイル素子を圧入し、
前記コイルの上端が、前記保持孔の上端よりも低く、
前記保持孔の内周面と前記コイルの間に隙間が存在し、
前記巻芯部の下端が、前記保持孔の下端と同等かそれよりも高く、かつ、
前記端子電極の下端が、前記保持孔の下端よりも低くなるように、
前記巻線型コイル素子を前記保持治具に保持させる工程と、
（ｂ）前記保持治具の上面側から前記保持孔に流動性を有する前記被覆樹脂を供給して、少なくとも前記巻芯部の上部から両側部にわたって、前記被覆樹脂により被覆する工程と、
（ｃ）前記保持治具に前記巻線型コイル素子が保持された状態で、供給された前記被覆樹脂を硬化させる工程と
を具備することを特徴とする巻線型コイルの製造方法。
【請求項２】
前記（ａ）の工程で、前記保持治具の前記保持孔に、前記巻線型コイル素子を圧入したときに、前記巻線型コイル素子の前記巻芯部の下端が、前記保持孔の下端よりも高くなるように、前記巻線型コイル素子を保持させることを特徴とする請求項１に記載の巻線型コイルの製造方法。
【請求項３】
前記（ｂ）の工程で、前記保持孔の上端よりも高い位置まで前記被覆樹脂を供給し、前記保持孔の上端よりも高い位置に存在する前記被覆樹脂を除去した後、前記（ｃ）の、前記被覆樹脂を硬化させる工程が実施されるように構成されていることを特徴とする請求項１または２記載の巻線型コイルの製造方法。
【請求項４】
前記（ｃ）の工程で被覆樹脂を硬化させた後に、前記保持治具の表面をブラシで清掃する工程を備えていることを特徴とする請求項１〜３のいずれかに記載の巻線型コイルの製造方法。
【請求項５】
前記（ｂ）の工程で前記被覆樹脂を供給するにあたって、前記保持孔の平面形状に対応した開口を有するマスクを、前記保持治具を覆うように配置した状態で、前記被覆樹脂を前記開口から供給するように構成されていることを特徴とする請求項１〜４のいずれかに記載の巻線型コイルの製造方法。
【請求項６】
前記保持孔の平面形状が方形であることを特徴とする請求項１〜５のいずれかに記載の巻線型コイルの製造方法。
【請求項７】
前記保持治具として、前記保持孔に前記巻線型コイル素子を圧入した場合に、前記保持孔の内周面と、前記鍔部の側面との間に隙間が形成されるような保持孔を備えた保持治具を用いることを特徴とする請求項１〜６のいずれかに記載の巻線型コイルの製造方法。
【請求項８】
前記（ａ）の工程で、前記保持治具の前記保持孔に、前記巻線型コイル素子を圧入したときに、前記巻線型コイル素子の前記鍔部の上端が、前記保持孔の上端よりも低くなるような態様で、前記巻線型コイル素子を保持させることを特徴とする請求項１〜７のいずれかに記載の巻線型コイルの製造方法。
【請求項９】
前記（ｂ）の工程で、前記保持治具の下面に、前記保持孔の一部を封止する封止部材を、前記コイルの下端と接しないように配設した状態で、前記保持孔に流動性を有する前記被覆樹脂を供給するように構成されていることを特徴とする請求項１〜８のいずれかに記載の巻線型コイルの製造方法。
【発明の詳細な説明】
【技術分野】
【０００１】
本発明は、巻線型コイルの製造方法に関し、詳しくは、巻芯部に巻回されたコイルを覆うように被覆樹脂が配設された巻線型コイルの製造方法に関する。
【背景技術】
【０００２】
代表的な巻線型コイル素子として、巻芯部と、巻芯部の両端に配設された一対の鍔部とを備えてなるコアの巻芯部にワイヤを巻回し、ワイヤの始端および終端を、鍔部に配設された端子電極に接続したものがある。また、そのような巻線型コイルにおいて、巻芯部に巻回されたワイヤの周囲を覆うように、被覆樹脂が配設された巻線型コイルがある。
【０００３】
そして、特許文献１には、図１３に示すように、巻芯部１１１と、巻芯部１１１の両端に配設された一対の鍔部１１２を有するコア１１３と、巻芯部１１１に巻回されたワイヤ１１５とを備え、巻芯部１１１に巻回されたワイヤ１１５の周囲すべてを覆うように被覆樹脂１１７が配設された巻線型コイル１０１が開示されている。
【０００４】
そして、この特許文献１による巻線型コイルの製造方法では、図１４に示すように、ワイヤ１１５の周囲に被覆樹脂１１７を塗布した後、指触乾燥した状態（塗布面の中央を指で触れた場合に、指先に塗料が付着しなくなる乾燥状態）で、巻線型コイル素子１１０を、耐熱性ゴム弾性体からなる部品収納部１２４に圧入して、加熱することにより、被覆樹脂１１７を部品収納部１２４の形状に対応する形状に整形している。
なお、鍔部１１２には、被覆樹脂１１７を整形する際に、巻芯部１１１の周囲からはみ出た被覆樹脂１１７を逃がすことができるように４つの逃げ部１１８が設けられており、この逃げ部１１８に被覆樹脂１１７を溜めることで、上記整形が行われるように構成されている。
【先行技術文献】
【特許文献】
【０００５】
【特許文献１】特開２０００−２８６１４０号公報
【発明の概要】
【発明が解決しようとする課題】
【０００６】
しかし、特許文献１の方法では、被覆樹脂１７が指触乾燥した状態で、巻線型コイル素子１１０を部品収納部１２４に圧入するようにしていることから、圧入する際に、部品収納部１２４の弾性力によって被覆樹脂１１７の形が崩れ、所望の形状に整形することができないという問題がある。
また、鍔部１１２の逃げ部１１８に溜まる被覆樹脂１１７の形状が、複数の逃げ部１１８のそれぞれによって異なる場合があり、外観形状が安定しないという問題がある。
【０００７】
本発明は、上記課題を解決するものであり、巻芯部にワイヤを巻回することにより形成され、少なくとも巻芯部の上部から両側部にわたって、被覆樹脂により被覆され、かつ、安定した外観形状を有する巻線型コイルを効率よく製造することが可能な巻線型コイルの製造方法を提供することを目的とする。
【課題を解決するための手段】
【０００８】
上記課題を解決するため、本発明の巻線型コイルの製造方法は、
巻芯部と、前記巻芯部の両端側に配設された一対の鍔部とを備えたコアと、前記一対の鍔部に配設された端子電極と、前記巻芯部にワイヤを巻回することにより形成され、始端および終端が前記端子電極に接続されたコイルとを備えた巻線型コイル素子と、前記コイルを被覆するように配設された被覆樹脂とを有する巻線型コイルの製造方法であって、
（ａ）内周面が弾性材料からなる保持孔を備えた保持治具の前記保持孔に、前記一対の鍔部が水平方向に対向するように前記巻線型コイル素子を圧入し、
前記コイルの上端が、前記保持孔の上端よりも低く、
前記保持孔の内周面と前記コイルの間に隙間が存在し、
前記巻芯部の下端が、前記保持孔の下端と同等かそれよりも高く、かつ、
前記端子電極の下端が、前記保持孔の下端よりも低くなるように、
前記巻線型コイル素子を前記保持治具に保持させる工程と、
（ｂ）前記保持治具の上面側から前記保持孔に流動性を有する前記被覆樹脂を供給して、少なくとも前記巻芯部の上部から両側部にわたって、前記被覆樹脂により被覆する工程と、
（ｃ）前記保持治具に前記巻線型コイル素子が保持された状態で、供給された前記被覆樹脂を硬化させる工程と
を具備することを特徴としている。
【０００９】
また、前記（ａ）の工程で、前記保持治具の前記保持孔に、前記巻線型コイル素子を圧入したときに、前記巻線型コイル素子の前記巻芯部の下端が、前記保持孔の下端よりも高くなるように、前記巻線型コイル素子を保持させることが好ましい。
保持治具の下面（保持孔の下端）の高さを、巻芯部の下端（下部）よりも低くしておくことで、コイルの下端（下部）にも被覆樹脂が回り込み、巻芯部の外周面全体が被覆されるとともに、巻芯部にワイヤを巻回することにより形成されたコイルの全体、すなわち、コイルの上端（上部）、下端（下部）、および側端（側部）が被覆樹脂により被覆される。
【００１０】
また、本発明においては、前記（ｂ）の工程で、前記保持孔の上端よりも高い位置まで前記被覆樹脂を供給し、前記保持孔の上端よりも高い位置に存在する前記被覆樹脂を除去した後、前記（ｃ）の、前記被覆樹脂を硬化させる工程が実施されるように構成されていることが好ましい。
【００１１】
保持孔の上端よりも高い位置まで被覆樹脂を供給し、保持孔よりも高い位置に存在する被覆樹脂を、例えばスクレーパなどのブレード状の治具により除去してコイルの上端を被覆している被覆樹脂の上面を平坦化するようにした場合、上面側が平坦で、実装時の真空吸引によるピックアップ信頼性の高い巻線型コイルを提供することが可能になる。
【００１２】
また、前記（ｃ）の工程で被覆樹脂を硬化させた後に、前記保持治具の表面をブラシで清掃する工程を備えていることが好ましい。
【００１３】
被覆樹脂を硬化させた後に、前記保持治具の表面をブラシで清掃することにより、保持治具を容易に清掃することが可能になり、保持治具を繰り返して使用して、上述のような、形状精度に優れ、信頼性の高い巻線型コイルを提供することが可能になる。
【００１４】
また、前記（ｂ）の工程で前記被覆樹脂を供給するにあたって、前記保持孔の平面形状に対応した開口を有するマスクを、前記保持治具を覆うように配置した状態で、前記被覆樹脂を前記開口から供給するように構成されていることが好ましい。
【００１５】
上記構成とすることにより、保持治具の上面への被覆樹脂の付着を抑制して、保持治具の清掃に要する負担を減らすことができる。
【００１６】
また、前記保持孔の平面形状が方形であることが好ましい。
【００１７】
保持孔の平面形状が方形である場合、巻線型コイル素子の鍔部を保持孔で確実に保持することが可能になり、生産性を向上させることができる。
【００１８】
また、前記保持治具として、前記保持孔に前記巻線型コイル素子を圧入した場合に、前記保持孔の内周面と、前記鍔部の側面との間に隙間が形成されるような保持孔を備えた保持治具を用いることも可能である。
【００１９】
上記のような保持孔を有する保持治具を用いることにより、コイルのみではなく鍔部の側面の一部も被覆樹脂により被覆された構造を有する巻線型コイルを形成することができる。
【００２０】
また、前記（ａ）の工程で、前記保持治具の前記保持孔に、前記巻線型コイル素子を圧入したときに、前記巻線型コイル素子の前記鍔部の上端が、前記保持孔の上端よりも低くなるような態様で、前記巻線型コイル素子を保持させることが好ましい。
【００２１】
上記構成とすることにより、巻芯部と鍔部のいずれもが被覆樹脂により被覆され、上面全体が被覆樹脂で形成された巻線型コイルを得ることができる。
【００２２】
また、前記（ｂ）の工程で、前記保持治具の下面に、前記保持孔の一部を封止する封止部材を、前記コイルの下端と接しないように配設した状態で、前記保持孔に流動性を有する前記被覆樹脂を供給するように構成されていることが好ましい。
【００２３】
上記構成とすることにより、保持孔の下面側の開口面積を小さくして、被覆樹脂が保持孔から下方に流下してしまうことを抑制、防止することが可能になり、本発明をより実行あらしめることができる。なお、この構成は、巻線型コイル素子の寸法が大きい場合に特に有意義である。
【００２４】
また、封止部材をコイルの下端部と接しないように配設するようにしているので、コイルが封止部材と接してダメージを受けたり、コイルの封止部材と接している部分が被覆樹脂により被覆されない状態になったりすることを回避することができる。
【発明の効果】
【００２５】
本発明の巻線型コイルの製造方法は、上述のように構成されており、内周面が弾性材料からなる保持孔を備えた保持治具の保持孔に、巻線型コイル素子を圧入し、コイルの上端が、保持孔の上端よりも低く、保持孔の内周面とコイルの間に隙間が存在し、巻芯部の下端が、保持孔の下端と同等かそれよりも高く、かつ、端子電極の下端が、保持孔の下端よりも低くなるように、巻線型コイル素子を保持治具に保持させ、保持治具の上面側から保持孔に流動性を有する被覆樹脂を供給して、少なくとも巻芯部の上部から両側部にわたって、被覆樹脂により被覆した後、供給された被覆樹脂を硬化させるようにしているので、少なくとも巻芯部の上部から両側部が被覆樹脂に埋没した構造を有する巻線型コイルを効率よく製造することができる。
【００２６】
すなわち、巻線型コイル素子を圧入して、コイルの上端が、保持孔の上端よりも低く、保持孔の内周面とコイルの間に隙間が存在し、巻芯部の下端が、保持孔の下端と同等かそれよりも高く、かつ、端子電極の下端が、保持孔の下端よりも低くなるように、巻線型コイル素子を保持治具に保持させることにより、保持孔に供給された被覆樹脂は、自重と毛管現象により、保持孔の内周面とコイルの間の隙間に沿って下に移動する。このとき、移動した被覆樹脂は、表面張力により、保持孔の内周面とコイルの間の隙間に保持され、隙間から下方に流下してしまうことはない。
【００２７】
また、本発明によれば、保持孔の形状に対応した被覆樹脂を備えた巻線型コイルが得られるようになり、被覆樹脂を含む全体の形状精度に優れ、良好な外観を有する巻線型コイルを効率よく製造することが可能になる。
【００２８】
また、被覆樹脂の材料として、例えば、磁性粉を含む樹脂材料を用いた場合は、磁束シールド性やインダクタンス取得効率などの電気特性に優れ、また、それら電気特性のばらつきが小さい巻線型コイルを製造することが可能になる。
【００２９】
また、本発明の巻線型コイルの製造方法によれば、従来技術のような、鍔部に被覆樹脂の逃げ部を設ける必要がなくなり、巻線型コイル素子の形状（コア形状）を簡潔なものとすることが可能になる。
【図面の簡単な説明】
【００３０】
【図１】巻線型コイルを説明するための斜視図であり、（ａ）は被覆樹脂により被覆する前の巻線型コイル（巻線型コイル素子）、（ｂ）は巻線型コイル素子の巻芯部およびコイルが被覆樹脂により被覆されてなる巻線型コイルを示す図である。
【図２】図１（ｂ）に示した巻線型コイルを示す図であり、（ａ）は平面図、（ｂ）はＡ１−Ａ１線による断面図、（ｃ）はＢ１−Ｂ１線による断面図を示す図である。
【図３】巻線型コイル素子を保持するための保持治具の斜視図である。
【図４】保持治具により、巻線型コイル素子を保持している状態を示す図であり、（ａ）は図３のＣ部の平面図、（ｂ）はＡ２−Ａ２線による断面図、（ｃ）はＢ２−Ｂ２による線断面図である。
【図５】巻線型コイル素子を保持する保持孔に被覆樹脂を供給した直後の状態、（ｂ）は保持孔の内周面とコイルの間の隙間に被覆樹脂が充填された状態、（ｃ）は保持孔の上端よりも高い位置に存在する被覆樹脂を除去した状態を示す図である。
【図６】保持治具の保持孔よりも高い位置に存在する、硬化した被覆樹脂を除去している状態を示す図である。
【図７】（ａ），（ｂ），（ｃ）は巻線型コイル素子に被覆樹脂を供給する他の方法を示す図である。
【図８】巻線型コイル素子に被覆樹脂を供給するさらに他の方法を示す図である。
【図９】巻線型コイルの他の製造方法を示す図（平面図）である。
【図１０】巻線型コイルのさらに他の製造方法を示す図（平面図）である
【図１１】巻線型コイルのさらに他の製造方法を示す図（Ａ２−Ａ２線による断面図）である。
【図１２】巻線型コイルのさらに他の製造方法を示す図であって、（ａ）は平面図、（ｂ）はＡ２−Ａ２による断面図、（ｃ）はＢ２−Ｂ２線による断面図である。
【図１３】従来の巻線型コイルを示す図である。
【図１４】従来の巻線型コイルの製造方法を説明するための図である。
【図１５】巻線型コイルを示す図であり、（ａ）は平面図、（ｂ）はＡ１−Ａ１線による断面図、（ｃ）はＢ１−Ｂ１線による断面図を示す図である。
【発明を実施するための形態】
【００３１】
以下に、本発明の実施形態を示して、本発明の特徴をさらに詳しく説明する。
【００３２】
まず、図１，２を参照しつつ、本発明の巻線型コイルの製造方法により作製される巻線型コイルについて説明する。なお、図１（ａ），（ｂ）は、端子電極１４が配設された鍔部１２の下面１２ｂを上向きとした姿勢の巻線型コイル素子１０および巻線型コイル１を示している。
【００３３】
巻線型コイル素子１０は、図１（ａ）に示すように、巻芯部１１の軸（巻芯軸）１１ｘに直交する方向の断面形状が方形の巻芯部１１と、巻芯部１１の両端側に配設された、巻芯軸１１ｘの軸方向からみた形状が方形の一対の鍔部１２とを有するコア１３を具備している。巻線型コイル１の実装対象（回路基板など）と対向する面となる鍔部１２の下面１２ｂには、端子電極１４が形成されている。そして、巻芯部１１にはワイヤ１５が巻回されてコイル１６を構成するとともに、ワイヤ１５の始端および終端は、一対の端子電極１４のうちの異なる端子電極にそれぞれ接続されている。
そして、巻線型コイル１は、図１（ｂ）、図２に示すように、巻芯部１１の外周面全体（上面１１ａ、下面１１ｂおよび両側面１１ｃ）を被覆するとともに、巻芯部１１にワイヤ１５を巻回することにより形成されたコイル１６の全体を被覆する被覆樹脂１７を備えている。
すなわち、被覆樹脂１７は、巻芯部１１に巻回されたワイヤ１５からなるコイル１６の全体（巻芯部１１の上面１１ａに対応する領域である上部（上端）１６ａ、巻芯部１１の下面１１ｂに対応する領域である下部（下端）１６ｂ、および巻芯部１１の互いに対向する一対の側部（側面）１１ｃに対応する領域である一対の側部（側端）１６ｃ、のすべて）が被覆されるような態様で配設されている。
【００３４】
次に、本発明の実施形態にかかる巻線型コイルの製造方法について説明する。
【００３５】
（１）まず、図３，４に示すような保持治具２１を用意する。保持治具２１は、剛性を有する材料からなる治具本体２２と、内周面２４ｃが弾性材料からなり、巻線型コイル素子１を弾性保持する、軸方向Ｘが保持治具２１の上面２１ａ，下面２１ｂに直交する複数の保持孔２４を備えている。
保持孔２４は、治具本体２２にマトリックス状にはめ込まれた複数の弾性部材２３のそれぞれを貫通するように設けられており、平面形状（保持孔２４の軸方向Ｘから見た場合の形状）は、方形とされている。
なお、保持孔２４の内周面２４ｃを構成する弾性材料としては、耐熱性を備えたシリコンゴムが用いられている。
【００３６】
（２）次に、巻線型コイル素子１０を、保持治具２１の保持孔２４に圧入する。圧入された巻線型コイル素子１０は、鍔部１２の外側端面１２ｄと両側面１２ｃが、保持孔２４の内周面２４ｃに当接し、内周面２４ｃを構成する弾性材料の弾性力により弾性保持される（図４（ａ）参照）。
ここで、保持孔２４は、その軸方向Ｘが鉛直方向を向くように形成されており、圧入された巻線型コイル素子１０は、鍔部１２の端子電極１４の形成された面が下面側となるように保持される。
【００３７】
また、巻線型コイル素子１は、コイル１６の上端（上部）１６ａが、保持孔２４の上端よりも低く、コイル１６の側端（側部）１６ｃと保持孔２４の内周面２４ｃとの間に隙間Ｇが存在し、巻芯部１１の下端（下部）１６ｂが、保持孔１６の下端２４ｂよりも高く、かつ、端子電極１４の下端が、保持孔２４の下端２４ｂよりも低くなるような態様で、保持治具２１の保持孔２４に保持される（図４（ｂ），（ｃ））。
なお、隙間Ｇは、通常、０．０５ｍｍ以上０．２ｍｍ以下の範囲とすることが好ましい。なお、隙間Ｇの大きさは、被覆樹脂の粘度などによって適宜調整することが望ましい。
【００３８】
また、コイル１６の上端１６ａが、保持孔２４の上端２４ａよりもこの実施形態では、例えば、０ｍｍ以上０．１ｍｍ以下低くなるように構成されている。なお、コイル１６の上端１６ａと保持孔２４の上端２４ａの高低差は、コイル１６を被覆する被覆樹脂１７の厚みの目標によって適宜調整される。
【００３９】
巻芯部１１の下端１６ｂと、保持孔１６の下端２４ｂの高低差を調整することにより、コイル１６の下端１６ｂを被覆する被覆樹脂１７の厚さを制御することができる。
【００４０】
（３）次に、図５（ａ）に示すように、巻線型コイル素子１０を保持している保持孔２４上に、樹脂供給手段（例えば、ディスペンサー）３１を用いて、流動性を有する被覆樹脂１７を供給する。このとき、被覆樹脂１７は保持孔２４の上端２４ａよりも高い位置まで供給される。
なお、この実施形態では、被覆樹脂１７として、熱硬化性樹脂であるエポキシ樹脂に、Ｆｅ粉（６０〜８０重量％）を分散させた磁性粉含有樹脂を用いている。
この磁性粉含有樹脂の粘度は、例えば、１０Ｐａ・ｓ以上９０Ｐａ・ｓ以下である
【００４１】
保持孔２４上に供給された被覆樹脂１７は、図５（ｂ）に示すように、自重と毛管現象により、保持孔２４の内周面２４ｃとコイル１６の間の隙間Ｇに沿って下に移動する。そして、移動した被覆樹脂１７は、表面張力により、隙間Ｇに保持され、隙間Ｇから下方に流下してしまうことはない。
【００４２】
一方、保持治具２１の下面２１ｂ（保持孔２４の下端２４ｂ）の高さを、巻芯部１１の下端（下部）１６ｂよりも低くしておくことで、巻芯部１１の下端（下部）１６ｂにも被覆樹脂１７が回り込み、巻芯部１１の外周面全体（上面１１ａ、下面１１ｂおよび両側面１１ｃ）が被覆されるとともに、コイル１６全体、すなわち、コイル１６の上端（上部）１６ａ、下端（下部）１６ｂ、および側端（側部）１６ｃが被覆樹脂１７により被覆される。
【００４３】
（４）それから、図５（ｃ）に示すように、弾性を有するスキージ３２で、保持治具２１の保持孔２４の上端２４ａよりも高い位置に存在する被覆樹脂１７を除去する。
【００４４】
（５）次に、巻線型コイル素子１０を保持治具２１とともに１００℃〜１５０℃のオーブン（図示せず）に入れ、被覆樹脂１７を熱硬化させる。
【００４５】
その後、保持治具２１から、上記巻線型コイル素子１０を取り出すことで、図１（ｂ）、図２に示すように、コイル１６の下端（下部）１６ｂにも被覆樹脂１７が回り込み、巻芯部１１の外周面全体（上面１１ａ、下面１１ｂおよび両側面１１ｃ）が被覆されるとともに、巻芯部１１にワイヤ１５を巻回することにより、巻芯部１１の外周部に形成されたコイル１６の全体、すなわち、コイル１６の上端（上部）１６ａ、下端（下部）１６ｂ、および側端（側部）１６ｃのいずれもが被覆樹脂１７により確実に被覆された構造を有する巻線型コイル１（図１（ｂ）、図２）を得ることができる。
【００４６】
なお、図６に示すように、熱硬化後に、保持治具２１の表面（保持孔２４の上端２４ａ）よりも高い位置に被覆樹脂（余剰の硬化樹脂）１７が残っている場合には、その被覆樹脂１７を硬化樹脂除去手段（例えば、清掃用ブラシ）３５を用いて除去することも可能である。
このように構成した場合、同時に、保持孔２４の上端付近に形成される、硬化樹脂のバリを除去することができるという効果が得られる。
【００４７】
また、被覆樹脂１７を供給する場合において、図７（ａ）に示すように、保持治具２１の上面に余剰分を含む量の被覆樹脂１７を供給した後、保持治具２１の上方に設けたスクレーパ（ブレード状の治具）３６を用いて、余剰分をかき取って、必要量が保持治具２１上に残るようにして、保持孔２４に被覆樹脂１７が効率よく供給されるように構成することも可能である。
供給された被覆樹脂１７は、図７（ｂ）に示すように、自重と毛管現象により、保持孔２４の内周面２４ｃとコイル１６の間の隙間Ｇに充填されるとともに、  保持治具２１の下面２１ｂ（保持孔２４の下端２４ｂ）の高さが、巻芯部１１の下端（下部）１６ｂよりも低く設定されているので、コイル１６の下端（下部）１６ｂにも被覆樹脂１７が回り込み、巻芯部１１にワイヤ１５を巻回することにより形成されたコイル１６の上端（上部）１６ａおよび側端（側部）１６Ｃのみならず、下端（下部）１６ｂを含めたコイル１６全体が被覆樹脂１７により被覆される。
その後、図７（ｃ）に示すように、保持孔２４の上端２４ａよりも高い位置に存在する被覆樹脂１７が、スキージ３２によりかき取られる。
【００４８】
また、上記実施形態の被覆樹脂を供給する場合において、図８に示すように、保持孔２４に対応した開口３７ａを有するマスク（この実施形態ではメタルマスク）３７を、保持治具２１を覆うように配置した状態とし、スキージ３２を用いて、被覆樹脂１７を開口３７ａから供給することも可能である。
上述のようなマスク３７を用いることにより、保持治具２１の上面２１ａへの被覆樹脂１７の付着を抑制して、保持治具２１の清掃に要する負担を減らすことができる。
【００４９】
また、本発明によれば、図９に示すような態様で、巻線型コイル素子１０を保持して巻線型コイル１Ａを形成することも可能である。
すなわち、保持孔２４がコア１３の一対の鍔部１２の互いに対向する外側端面１２ｄを弾性保持する保持治具２１を用い、保持孔２４の内周面２４ｃと、鍔部１２の側面１２ｃとの間に隙間が形成されるような態様で、巻線型コイル素子１０を保持して、保持孔２４に被覆樹脂１７を供給することで、コイル１６のみではなく鍔部１２の側面１２ｃも被覆樹脂１７により被覆された構造を有する巻線型コイル１Ａを形成することができる。
【００５０】
また、本発明によれば、図１０に示すような態様で、巻線型コイル素子１０を保持して巻線型コイル１Ｂを形成することも可能である。
すなわち、保持治具２１として、保持孔２４が鍔部１２の外側端面１２ｄを弾性保持するとともに、鍔部１２の側面１２ｃの一部であって、外側端面１２ｄに近い領域を弾性保持する保持治具２１を用い、保持孔２４の内周面２４ｃと、鍔部１２の側面１２ｃの一部との間に隙間が形成されるような態様で、巻線型コイル素子１０を保持して、保持孔２４に被覆樹脂１７を供給することで、コイル１６のみではなく鍔部１２の側面１２ｃの一部も被覆樹脂１７により被覆された構造を有する巻線型コイル１Ｂを形成することができる。
【００５１】
また、本発明によれば、図１１に示すような態様で、巻線型コイル素子１０を保持して巻線型コイル１Ｃを形成することも可能である。
すなわち、巻線型コイル素子１０を、鍔部１２の上端（上面）１２ａが、保持孔２４の上端２４ａよりも低くなるような態様で保持孔２４に保持させ、被覆樹脂１７を供給する工程で、鍔部１２の上端１２ａより高い位置まで被覆樹脂１７を供給することで、上面全体が被覆樹脂１７で形成され、コイル１６の上部（上端）１６ａが被覆樹脂１７により厚く被覆された構造を有する巻線型コイル１Ｃを形成することができる。
【００５２】
また、本発明によれば、鍔部１２の上端（上面）１２ａが、保持孔２４の上端２４ａよりも高くなるような態様で保持孔２４に保持させ、被覆樹脂１７を供給することも可能である。弾性を有するスキージ３２で、鍔部１２の上端（上面）１２ａに存在する被覆樹脂１７を除去することができる。鍔部１２の上端（上面）１２ａに被覆樹脂１７を形成した場合、その被膜樹脂１７の厚みがばらつくと、巻線型コイル１Ｃの高さ（巻線型コイル１Ｃの上端から下端までの長さ）のばらつきが大きくなる。これに対して、鍔部１２の上端（上面）１２ａに存在する被覆樹脂１７を除去することで、巻線型コイル１Ｃの高さのばらつきを抑えることができる。
【００５３】
また、本発明の巻線型インダクタの製造方法においては、図１２（ａ），（ｂ），（ｃ）に示すように、保持治具２１の保持孔２４に巻線型コイル素子１０を保持するとともに、保持治具２１の下面２１ｂに、保持孔２４の一部を封止する封止部材５０を、巻芯部１１にワイヤ１５を巻回することにより形成されたコイル１６の下端と接しないように配設した状態で、保持孔２４に流動性を有する被覆樹脂１７を供給するように構成することも可能である。
【００５４】
このように、保持治具２１の下面２１ｂに封止部材５０を配設し、保持孔２４の下面２１ｂ側の開口面積を小さくすることにより、被覆樹脂１７が保持孔２４から下方に流下してしまうことを抑制、防止することが可能になる。
この構成は、巻線型コイル素子１０の寸法が大きい場合に特に有意義である。
【００５５】
また、本発明の巻線型コイルの製造方法においては、巻芯部の外周面全体を被覆樹脂により被覆する場合だけでなく、少なくとも巻芯部の上部から両側部にわたって、被覆樹脂により被覆することが可能である。この場合、上記実施形態にかかる巻線型コイルの製造方法に対して、（２）の工程が異なる。具体的には、巻線型コイル素子１０を、保持治具２１の保持孔２４に圧入する際に、保持治具２１の下面２１ｂ（保持孔２４の下端２４ｂ）の高さを、巻芯部の下端と同等にしておく。これにより、巻芯部１１の下端（下部）１６ｂの全体に被覆樹脂１７が回り込むことがなく、少なくとも巻芯部１１の上部から両側部にわたって、被覆樹脂により被覆することができる。
【００５６】
巻線型コイル素子１０は、図１５に示すように、巻芯軸１１ａに直交する方向の断面形状が方形の巻芯部１１と、巻芯部１１の両端側に配設された、巻芯軸１１ａの軸方向からみた形状が方形の一対の鍔部１２とを有するコア１３を具備している。巻線型コイル１の実装対象（回路基板など）と対向する面となる鍔部１２の下面１２ｂには、端子電極１４が形成されている。そして、巻芯部１１にはワイヤ１５が巻回されてコイル１６を構成するとともに、ワイヤ１５の始端および終端は、一対の端子電極１４のうちの異なる端子電極にそれぞれ接続されている。
【００５７】
そして、巻線型コイル１は、図１５に示すように、コイル１６の主要部（コイル１６の実装対象に対向する領域を除いた領域）を被覆する被覆樹脂１７を備えている。すなわち、被覆樹脂１７は、巻芯部１１に巻回されたワイヤ１５からなるコイル１６の、巻芯部１１の上面に対応する領域である上部（上端）１６ａ、巻芯部１１の両側部（両側面）に対応する領域である一対の側部（側端）１６ｃを被覆する一方、巻芯部１１の下面に対応する領域である下部（下端）１６ｂは被覆しないような態様で配設されている。
【００５８】
なお、被覆樹脂１７は、巻芯部１１に巻回されたワイヤ１５からなるコイル１６の、巻芯部１１の上面に対応する領域である上部（上端）１６ａ、巻芯部１１の両側部（両側面）に対応する領域である一対の側部（側端）１６ｃを被覆し、一対の側部（側端）１６ｃそれぞれから、巻芯部１１の下面に対応する領域である下部（下端）１６ｂに被膜樹脂が延びて、下部（下端）１６ｂの一部を被覆する態様で配設されていてもよい。
【００５９】
また、封止部材５０をコイル１６の下端（下部）１６ｂと接しないように配設しているので、コイル１６が封止部材５０と接してダメージを受けたり、コイル１６の封止部材５０と接している部分が被覆樹脂１７により被覆されない状態になったりすることを回避することができる。
【００６０】
なお、本発明において、被覆樹脂を供給する際の保持治具の姿勢は、その主面が水平で、保持孔の軸方向が鉛直になるような姿勢である場合に限られるものではなく、例えば、保持治具の主面が水平方向に対していくらかの傾斜を有する姿勢（保持孔の軸方向が鉛直方向に対していくらかの角度を持つような姿勢）で、被覆樹脂を供給するような場合を排除するものではない。
【００６１】
なお、本発明において、被覆樹脂は磁性粉含有樹脂に限られず、例えば、磁性粉を含有していない熱硬化性樹脂、ＵＶ硬化樹脂でもよい。
【００６２】
また、巻線型コイル素子１０を保持治具２１とともにオーブンに入れ、被覆樹脂１７を熱硬化させているが、熱硬化性樹脂の代わりにＵＶ硬化樹脂を用いる場合、巻線型コイル素子１０を保持治具２１で保持した状態で、ＵＶ光をＵＶ硬化樹脂に保持治具の保持孔の片側または両側から照射することより、被覆樹脂を硬化してもよい。
【００６３】
また、ワイヤ１５の端子電極に引き出されている部分がコアから浮いている場合に、その部分が断線するおそれがある。被覆樹脂の粘度を適切にすれば、その部分を被覆樹脂で埋めて断線を防ぐことができる。
【００６４】
なお、本発明は、その他の点においても、上記実施形態に限定されるものではなく、本発明の範囲内において、種々の応用、変形を加えることが可能である。
【符号の説明】
【００６５】
１，１Ａ，１Ｂ，１Ｃ  巻線型コイル
１０            巻線型コイル素子
１１            巻芯部
１１ａ          巻芯部の上面
１１ｂ          巻芯部の下面
１１ｃ          巻芯部の側面
１１ｘ          巻芯軸
１２            鍔部
１２ａ          鍔部の上端（上面）
１２ｂ          鍔部の下端（下面）
１２ｃ          鍔部の側面
１２ｄ          鍔部の外側端面
１３            コア
１４            端子電極
１５            ワイヤ
１６            コイル
１６ａ          コイルの上端（上部）
１６ｂ          コイルの下端（下部）
１６ｃ          コイルの側端（側部）
１７            被覆樹脂
２１            保持治具
２１ａ          保持治具の上面
２１ｂ          保持治具の下面
２２            治具本体
２３            弾性部材
２４            保持治具の保持孔
２４ａ          保持孔の上端
２４ｂ          保持孔の下端
２４ｃ          保持孔の内周面
３１            樹脂供給手段
３２            スキージ
３５            硬化樹脂除去手段（清掃用ブラシ）
３６            スクレーパ（ブレード状の治具）
３７            マスク
３７ａ          マスクの開口
５０            封止部材
Ｇ              保持孔の内周面とコイルの間の隙間
Ｘ              保持孔の軸方向
【図１】
0006673247.tif 000002
【図２】
0006673247.tif 000003
【図３】
0006673247.tif 000004
【図４】
0006673247.tif 000005
【図５】
0006673247.tif 000006
【図６】
0006673247.tif 000007
【図７】
0006673247.tif 000008
【図８】
0006673247.tif 000009
【図９】
0006673247.tif 000010
【図１０】
0006673247.tif 000011
【図１１】
0006673247.tif 000012
【図１２】
0006673247.tif 000013
【図１３】
0006673247.tif 000014
【図１４】
0006673247.tif 000015
【図１５】
0006673247.tif 000016